(57)【要約】【課題】  容器本体と、容器本体の口筒部に装着する下キャップと、下キャップに装着する上キャップとからなる計量容器とし、上キャップを下キャップから外すことで、下キャップにより容器本体の内容液を計量し、注出することのできる計量容器を提供すること。【解決手段】  容器本体と、容器本体の口筒部に装着されるとともに、内容液を計量する下キャップと、下キャップに装着される上キャップとからなる計量容器であって、下キャップは、計量シリンダーを設けた下キャップ基体を具え、計量シリンダーは、筒部と、内容液の逆流を防止する弁筒部とを具え、上キャップは、上キャップ基体と、上キャップ基体の下部に装着されるピストン体とからなり、上キャップ基体は、頂壁と、頂壁下面に垂設された作動杆筒とその外側に垂設された外筒とを具え、ピストン体は、作動杆筒の下端に装着され、下キャップの計量シリンダーの筒部内周に当接し、摺動することを特徴とする。【選択図】  図１
2009001331.tif 000002
【特許請求の範囲】
【請求項１】
容器本体と、容器本体の口筒部に装着されるとともに、内容液を計量する下キャップと、下キャップに装着される上キャップとからなる計量容器であって、
下キャップは、計量シリンダーを設けた下キャップ基体を具え、
計量シリンダーは、筒部と、内容液の逆流を防止する弁筒部とを具え、
上キャップは、上キャップ基体と、上キャップ基体の下部に装着されるピストン体とからなり、
上キャップ基体は、頂壁と、頂壁下面に垂設された作動杆筒とその外側に垂設された外筒とを具え、
ピストン体は、作動杆筒の下端に装着され、下キャップの計量シリンダーの筒部内周に当接し、摺動することを特徴とする計量容器。
【請求項２】
計量シリンダーの弁筒部の内方には、ボール弁が上下動可能に載置され、
弁筒部内周には、ボール弁と係合する吐出口を開口した弁座と、ボール弁の抜けを防ぐ係止突部が設けられていることを特徴とする請求項１記載の計量容器。
【請求項３】
下キャップ基体の計量シリンダー筒部下端部には、流通孔が単数または複数穿設され、
下キャップは、下キャップ基体の計量シリンダー下部外周に、前記流通孔を開閉する弁を装着したことを特徴とする請求項１または２記載の計量容器。
【請求項４】
計量シリンダーの筒部下端に下壁が連接され、該下壁に連通孔が穿設されていることを特徴とする請求項３記載の計量容器。
【発明の詳細な説明】
【技術分野】
【０００１】
本発明は、計量容器、とくに容器本体と、内容液を計量する下キャップと、上キャップとからなる計量容器に関するものである。
【背景技術】
【０００２】
計量容器として、容器を正立したまま容器本体内の内容液を計量した後、計量した内容液を使用することは、従来から行われている。
容器から内容液を定量注出するために、容器本体の口筒部にポンプを装着し、ノズルヘッドを押込んで、ノズル口より内容液を吐出させるポンプ式の計量容器は従来より知られている（例えば、特許文献１参照）。
また、容器本体自体をスクイズ可能なものとし、スクイズすることにより内容液をキャップ内に設けた計量室に噴出させ、計量して使用するようにした計量容器も従来より知られている（例えば、特許文献２参照）。
【特許文献１】特開２００４−２６２９２号
【特許文献２】特開２００２−１０４４６７号
【発明の開示】
【発明が解決しようとする課題】
【０００３】
しかしながら、引用文献１記載の計量容器では、ポンプ自体が部品数が多く、高価なものになるという問題があった。
引用文献２記載の計量容器では、部品数的には少なくなるが、容器本体自体をスクイズ可能なものとしなくてはならないという問題があった。
【０００４】
本発明は、上記の事情を考慮して、容器本体と、容器本体の口筒部に装着する下キャップと、下キャップに装着する上キャップとからなる計量容器とし、上キャップを下キャップから外すことで、下キャップにより容器本体の内容液を計量し、注出することのできる計量容器を提供することを目的とする。
【課題を解決するための手段】
【０００５】
本発明は、上記の課題を解決するため、計量容器として、容器本体と、容器本体の口筒部に装着されるとともに、内容液を計量する下キャップと、下キャップに装着される上キャップとからなる計量容器であって、下キャップは、計量シリンダーを設けた下キャップ基体を具え、計量シリンダーは、筒部と、内容液の逆流を防止する弁筒部とを具え、上キャップは、上キャップ基体と、上キャップ基体の下部に装着されるピストン体とからなり、上キャップ基体は、頂壁と、頂壁下面に垂設された作動杆筒とその外側に垂設された外筒とを具え、ピストン体は、作動杆筒の下端に装着され、下キャップの計量シリンダーの筒部内周に当接し、摺動することを特徴とする構成を採用する。
【０００６】
弁の実施例として、計量シリンダーの弁筒部の内方には、ボール弁が上下動可能に載置され、弁筒部内周には、ボール弁と係合する吐出口を開口した弁座と、ボール弁の抜けを防ぐ係止突部が設けられていることを特徴とする構成を採用し、さらに、下キャップ基体の計量シリンダー筒部下端部には、流通孔が単数または複数穿設され、下キャップは、下キャップ基体の計量シリンダー下部外周に、前記流通孔を開閉する弁を装着したことを特徴とする構成、或いは、計量シリンダーの筒部下端に下壁が連接され、該下壁に連通孔が穿設されていることを特徴とする構成を採用する。
【発明の効果】
【０００７】
容器本体と、容器本体の口筒部に装着されるとともに、内容液を計量する下キャップと、下キャップに装着される上キャップとからなる計量容器であって、上キャップを下キャップから引き上げることで、上キャップのピストン体が下キャップの筒部を摺動し、容器本体内の内容液を計量シリンダー内に吸上げ、計量し、上キャップを外して、下キャップの注出筒から計量した内容液を注出することができるようになった。
【発明を実施するための最良の形態】
【０００８】
次に、本発明の実施形態について、図面を参照して説明する。
図１において、Ａは内容液を収納する容器本体、Ｂは下キャップ、Ｃは上キャップである。
【０００９】
容器本体Ａは、口筒部１と胴部２、底部とを具え、口筒部１外周には、下キャップＢを取着するねじ３が設けられている。
【００１０】
下キャップＢは、図１、２に示すように、下キャップ基体Ｂ１と、下キャップ基体Ｂ１の下部に装着される弁Ｂ２とからなっている。
【００１１】
下キャップ基体Ｂ１は、リング状の上壁５と、上壁５の内縁から垂設された計量シリンダー６と、上壁５の内縁に立設された注出筒７と、上壁５の内縁付近の下面に垂設され、外周が容器本体Ａの口筒部１内周に係合する密閉筒８と、上壁５の外縁付近の下面に垂設され、内周が口筒部１外周のねじ３に螺合する螺着筒９と、上壁５の外縁に垂設された外筒１０とを具えている。
注出筒７の外周には、上キャップＣを取着するねじ１１が設けられている。
【００１２】
計量シリンダー６は、上壁５内縁から内方下方に向かって連設された拡径筒部１２と、拡径筒部１２内縁から垂設された筒部１３と、筒部１３下端に縮径して連設された縮径筒部１４と、縮径筒部１４の下端内周に連設されたリング状の下壁１５と、下壁１５の内縁に垂設された、内方にボール弁１６を上下動可能に載置する弁筒部１７とを具えており、弁筒部１７の内周下部には、吸上げパイプ１８が装着されている。
【００１３】
縮径筒部１４の外周には、弁Ｂ２を装着する係合部１９が設けられている。
下壁１５の所定の位置には、流通孔２０が単数または複数穿設されている。
【００１４】
弁筒部１７の内周には、ボール弁１６と係合する吐出口２１を開口した弁座２２と、弁座２２より上方の位置に間隔をおいて複数配設され、ボール弁１６の抜けを防ぐとともに、液流を阻害しない係止突部２３が設けられている。
【００１５】
計量シリンダー６の筒部１３上部から弁筒部１７の弁座２２までの内方は計量室ａとなっており、ボール弁１６は弁座２２と係合して逆流防止弁となっている。
【００１６】
弁Ｂ２は、ゴムや軟質の合成樹脂などの軟材質の素材で形成され、内周が下キャップ基体Ｂ１の計量シリンダー６の縮径筒部１４の外周に係合する係合筒部２５と、上面が下壁１５下面と当接するリング状の下壁２６と、下壁２６の内縁に垂設され、内周の下端付近が弁筒部１７外周に当接して係合する弁部２７とを具えている。
【００１７】
上キャップＣは、上キャップ基体Ｃ１と、上キャップ基体Ｃ１の下部に装着されるピストン体Ｃ２とからなっている。
【００１８】
上キャップ基体Ｃ１は、頂壁３０と、頂壁３０下面に垂設された作動杆筒３１と、外周が下キャップ基体Ｂ１の注出筒７内周に係合する密閉筒３２と、頂壁３０の外縁から垂設され内周が下キャップＢの注出筒７外周のねじ１１に螺合する外筒３３とを具えている。
作動杆筒３１の下端外周には、ピストン体Ｃ２を装着する係合部３４が、設けられている。
【００１９】
ピストン体Ｃ２は、ゴムや軟質の合成樹脂などの軟材質の素材で形成され、底壁３５と、底壁３５上面に立設され、外周が上キャップ基体Ｃ１の作動杆筒３１の下端内周と係合する内筒３６と、底壁３５外縁に立設され、内周が上キャップ基体Ｃ１の作動杆筒３１の下端外周、および係合部３４と係合する係合筒３７と、係合筒３７の上端から拡径し、下キャップ基体Ｂ１の計量シリンダー６の筒部１３内周に当接し、摺動する摺動部３８とを具えている。
【００２０】
次に、本実施形態の容器の作用効果について説明する。
容器本体Ａ内の内容液を、計量し、使用する際には、まず、上キャップＣの外筒３３を把持して回転させ、下キャップＢとの螺合を外し、上キャップＣを引張り上げる。
【００２１】
上キャップＣが上昇すると、図３に示すように、ピストン体Ｃ２の摺動部３８が、下キャップＢの計量シリンダー６の筒部１３内を摺動し、ピストン体Ｃ２下面の計量室ａ内を負圧にする。
計量室ａ内が負圧になると、ボール弁１６が上方に引張られ、計量シリンダー６の弁筒部１７の弁座２２の吐出口２１が開口し、吐出口２１から、吸上げパイプ１８を介して容器本体Ａ内の内容液を計量室ａ内に吸上げる。
【００２２】
さらに上キャップＣが上昇し、ピストン体Ｃ２の摺動部３８が、下キャップＢの計量シリンダー６の拡径筒部１２に位置すると、摺動部３８と計量シリンダー６との当接が外れ、図４に示すように、上キャップＣが下キャップＢから外されるとともに、計量室ａ内の負圧が解消され、内容液の吸上げが終了する。
【００２３】
内容液の吸上げ終了と同時に、容器本体Ａ内の内容液の吸上げによる負圧により、ボール弁１６が下方に引張られ、弁筒部１７の弁座２２に係合して吐出口２１を閉鎖し、計量室ａ内の内容液が容器本体Ａ内に戻されることを防止している。
【００２４】
上キャップＣを外し、容器を傾けると、計量室ａにより計量された内容液を下キャップＢの注出筒７から外に注ぎ、使用することができる。
【００２５】
内容液の使用が終わったら、図５に示すように、上キャップＣを下キャップＢ内と係合させ、押し戻す。
上キャップＣを押し戻すと、ピストン体Ｃ２の摺動部３８が、再び、下キャップＢの計量シリンダー６の筒部１３内を摺動し、ピストン体Ｃ２下面の計量室ａ内の空気に圧力をかけていく。
【００２６】
計量室ａ内の空気に圧力がかかると、ボール弁１６が吐出口２１を閉鎖しているので、空気が、計量シリンダー６の下壁１５に設けた流通孔２０を通り、弁Ｂ２の下壁２６上面を押圧し、弁Ｂ２を変形させ、弁Ｂ２の弁部２７と計量シリンダー６の弁筒部１７との係合を外す。
【００２７】
上キャップＣの押込みを終了させると、空気による弁Ｂ２の押圧がなくなり、弁Ｂ２が元の形に戻り、弁Ｂ２の弁部２７と計量シリンダー６の弁筒部１７とが再び係合し、間隙を閉鎖する。
弁部２７と弁筒部１７との間隙から、空気を容器本体Ａ内に導入するので、容器本体Ａ内の負圧を解消することができる。
【００２８】
計量した内容液を全部使用しないときに、残った内容液は、上キャップＣの押込みにより、空気とともに弁部２７と弁筒部１７の間隙から容器本体Ａ内に戻すことができる。
また、内容液を計量して使用しない場合でも、上キャップの押込みにより、空気とともに残った内容液を容器本体Ａ内に戻すことができる。
【００２９】
上キャップＣの引張り、押込みを繰り返して、計量室ａで内容液を計量し、注出することを繰り返すことができる。
最後は、上キャップＣと、下キャップＢとを螺合させて、容器内を密封することができる。
【００３０】
本発明の計量容器は、下キャップＢの計量シリンダー６の径と、計量シリンダー６の筒部１３の高さの設定、および、それに伴う上キャップＣのピストン体Ｃ２の径と上キャップ基体Ｃ１の作動杆筒３１の径と高さの設定により、計量室ａの容量を決めることができる。
【００３１】
上記実施例では、下部キャップＢの計量シリンダー６の下部の弁筒部１７内にボール弁１６を上下動可能に載置して逆流防止弁としたが、計量室ａ内から容器本体Ａ内に内容液が逆流することを防止するものであれば、別にボール弁の方式でなくてもよく、逆流防止弁の方式は、上記実施例の実施形態に限定されない。
【００３２】
前記実施例では、計量シリンダー６の下端に設けたリング状の下壁１５に、流通孔２０を穿設したが、計量シリンダー６の筒部下端部周面に、流通孔２０を穿設し、弁Ｂ２を配設するようにしてもよい。
【産業上の利用可能性】
【００３３】
本発明は、上キャップを下キャップに対して、引張り上げ、外すことで、容器内の内容液を下キャップ内の計量室で計量して使用することができ、液状の洗濯洗剤、化粧品、薬品、その他の内容液の計量容器として広く利用することができる。
【図面の簡単な説明】
【００３４】
【図１】本発明の実施形態容器の一部断面立面図である。
【図２】下キャップと上キャップの分解説明図である。
【図３】上キャップを引張った時の容器の説明図である。
【図４】上キャップを外した時の容器の説明図である。
【図５】上キャップを押込んだ時の説明図である。
【符号の説明】
【００３５】
Ａ          容器本体
Ｂ          下キャップ
Ｂ１        下キャップ基体
Ｂ２        弁
Ｃ          上キャップ
Ｃ１        上キャップ基体
Ｃ２        ピストン体
ａ          計量室
１          口筒部
２          胴部
３、１１    ねじ
５          上壁
６          計量シリンダー
７          注出筒
８、３２    密閉筒
９          螺着筒
１０、３３  外筒
１２        拡径筒部
１３        筒部
１４        縮径筒部
１５、２６  下壁
１６        ボール弁
１７        弁筒部
１８        吸上げパイプ
１９、３４  係合部
２０        流通孔
２１        吐出口
２２        弁座
２３        係止突部
２５        係合筒部
２７        弁部
３０        頂壁
３１        作動杆筒
３５        底壁
３６        内筒
３７        係合筒
３８        摺動部
【図１】
2009001331.tif 000003
【図２】
2009001331.tif 000004
【図３】
2009001331.tif 000005
【図４】
2009001331.tif 000006
【図５】
2009001331.tif 000007